【手続補正書】
【提出日】平成25年12月4日(2013.12.4)
【手続補正１】
【補正対象書類名】特許請求の範囲
【補正対象項目名】全文
【補正方法】変更
【補正の内容】
【特許請求の範囲】
【請求項１】
複数の画像から構成される動画像を予測符号化する画像符号化方法と、複数の画像から構成される動画像を予測符号化して得られた画像符号化信号を復号化する画像復号化方法とを行う画像符号化復号化方法であって、
前記画像符号化方法は、
前記動画像の入力画像を符号化する第一符号化ステップと、
前記第一符号化ステップで符号化された前記入力画像を復号化して、復号化画像を得る第一復号化ステップと、
前記第一復号化ステップにより得られた前記復号化画像が、他の画像を予測符号化する際に参照される参照画像である場合には前記復号化画像を、画像を保存するバッファに保存する保存ステップと、
複数の符号化画像からなるシーケンス毎に、当該シーケンスの符号化においてバッファが一定のサイズを有することを示すバッファサイズ情報を符号化する第二符号化ステップと、を有し、
前記画像復号化方法は、
前記画像符号化信号を復号化して、シーケンス毎のバッファサイズ情報を得るステップと、
前記画像符号化信号から復号化画像を生成する第二復号化ステップと、
前記画像符号化信号に基づいて、前記第二復号化ステップにより得られた前記復号化画像が参照画像であるか非参照画像であるかを判定する第一判定ステップと、
前記復号化画像が非参照画像である場合に、非参照画像である前記復号化画像が、バッファに格納されている画像よりも先行して表示可能であるかどうかを判定する第二判定ステップと、
前記非参照画像である復号化画像が前記バッファに格納されている画像よりも先行して表示可能ではない場合には、前記非参照画像である復号化画像を表示せずに前記バッファに格納する格納ステップと、
前記バッファに格納されている画像のいずれよりも前記非参照画像である復号化画像の前記表示順序が先である場合には、前記非参照画像である復号化画像を表示用に出力し、
前記バッファに格納されている画像のうちの少なくとも１つが前記非参照画像である復号化画像よりも前記表示順序が先である場合には、前記バッファに格納されている画像のうちの少なくとも１つを表示用に出力する出力ステップとを有し、
前記格納ステップでは、前記バッファに前記非参照画像である復号化画像を格納する空き領域がない場合には、前記バッファに格納されている画像から、後の復号化において参照画像として参照されることがなく、前記表示順序が早い画像を削除して、前記非参照画像である復号化画像を前記バッファに格納する、
ことを特徴とする画像符号化復号化方法。
【請求項２】
複数の画像から構成される動画像を予測符号化する画像符号化装置と、複数の画像から構成される動画像を予測符号化して得られた画像符号化信号を復号化する画像復号化装置とから構成される画像符号化復号化装置であって、
前記画像符号化装置は、
前記動画像の入力画像を符号化する第一符号化手段と、
前記第一符号化手段で符号化された前記入力画像を復号化して、復号化画像を得る第一復号化手段と、
前記第一復号化手段により得られた前記復号化画像が、他の画像を予測符号化する際に参照される参照画像である場合には前記復号化画像を、画像を保存するバッファに保存する保存手段と、
複数の符号化画像からなるシーケンス毎に、当該シーケンスの符号化においてバッファが一定のサイズを有することを示すバッファサイズ情報を符号化する第二符号化手段と、を備え、
前記画像復号化装置は、
前記画像符号化信号を復号化して、シーケンス毎のバッファサイズ情報を得る手段と、
前記画像符号化信号から復号化画像を生成する第二復号化手段と、
前記画像符号化信号に基づいて、前記第二復号化手段により得られた前記復号化画像が参照画像であるか非参照画像であるかを判定する第一判定手段と、
画像を保存するバッファと、
前記復号化画像が非参照画像である場合に、非参照画像である前記復号化画像が、バッファに格納されている画像よりも先行して表示可能であるかどうかを判定する第二判定手段と、
前記非参照画像である復号化画像が前記バッファに格納されている画像よりも先行して表示可能ではない場合には、前記非参照画像である復号化画像を表示せずに前記バッファに格納する格納手段と、
前記バッファに格納されている画像のいずれよりも前記非参照画像である復号化画像の前記表示順序が先である場合には、前記非参照画像である復号化画像を表示用に出力し、
前記バッファに格納されている画像のうちの少なくとも１つが前記非参照画像である復号化画像よりも前記表示順序が先である場合には、前記バッファに格納されている画像のうちの少なくとも１つを表示用に出力する出力手段とを備え、
前記格納手段は、前記バッファに前記非参照画像である復号化画像を格納する空き領域がない場合には、前記バッファに格納されている画像から、後の復号化において参照画像として参照されることがなく、前記表示順序が早い画像を削除して、前記非参照画像である復号化画像を前記バッファに格納する、
ことを特徴とする画像符号化復号化装置。
【手続補正２】
【補正対象書類名】明細書
【補正対象項目名】００３５
【補正方法】変更
【補正の内容】
【００３５】
上記目的を達成するために、本発明の画像符号化復号化方法は、複数の画像から構成される動画像を予測符号化する画像符号化方法と、複数の画像から構成される動画像を予測符号化して得られた画像符号化信号を復号化する画像復号化方法とを行う画像符号化復号化方法であって、前記画像符号化方法は、前記動画像の入力画像を符号化する第一符号化ステップと、前記第一符号化ステップで符号化された前記入力画像を復号化して、復号化画像を得る第一復号化ステップと、前記第一復号化ステップにより得られた前記復号化画像が、他の画像を予測符号化する際に参照される参照画像である場合には前記復号化画像を、画像を保存するバッファに保存する保存ステップと、複数の符号化画像からなるシーケンス毎に、当該シーケンスの符号化においてバッファが一定のサイズを有することを示すバッファサイズ情報を符号化する第二符号化ステップと、を有し、前記画像復号化方法は、前記画像符号化信号を復号化して、シーケンス毎のバッファサイズ情報を得るステップと、前記画像符号化信号から復号化画像を生成する第二復号化ステップと、前記画像符号化信号に基づいて、前記第二復号化ステップにより得られた前記復号化画像が参照画像であるか非参照画像であるかを判定する第一判定ステップと、前記復号化画像が非参照画像である場合に、非参照画像である前記復号化画像が、バッファに格納されている画像よりも先行して表示可能であるかどうかを判定する第二判定ステップと、前記非参照画像である復号化画像が前記バッファに格納されている画像よりも先行して表示可能ではない場合には、前記非参照画像である復号化画像を表示せずに前記バッファに格納する格納ステップと、前記バッファに格納されている画像のいずれよりも前記非参照画像である復号化画像の前記表示順序が先である場合には、前記非参照画像である復号化画像を表示用に出力し、前記バッファに格納されている画像のうちの少なくとも１つが前記非参照画像である復号化画像よりも前記表示順序が先である場合には、前記バッファに格納されている画像のうちの少なくとも１つを表示用に出力する出力ステップとを有し、前記格納ステップでは、前記バッファに前記非参照画像である復号化画像を格納する空き領域がない場合には、前記バッファに格納されている画像から、後の復号化において参照画像として参照されることがなく、前記表示順序が早い画像を削除して、前記非参照画像である復号化画像を前記バッファに格納する。